(57)【要約】【課題】手持工具を保持しながら行う作業において、当該手持工具を当該作業に適合する所要の高さに、しかも回動起伏自在に支承することのできる手持工具の作業用支承装置を提供し、これによって、作業員の負担を軽減する。【解決手段】所要長さの支柱体１０の先端に手持工具用自在継手１１を設けるとともに、その支柱体１０の基端に支柱体支持用自在継手４を設けてなる手持工具の作業用支承装置。【選択図】  図１
2006055949.tif 000002
【特許請求の範囲】
【請求項１】
所要長さの支柱体の先端に手持工具用自在継手を設けるとともに、その支柱体の基端に支柱体支持用自在継手を設けてなることを特徴とする手持工具の作業用支承装置。
【請求項２】
上記支柱体が、支柱体基部とその支柱体基部内に嵌挿固定されたエアシリンダと、そのエアシリンダの伸縮ロッドの先端に固定され、その伸縮ロッドの伸縮により上記支柱体基部に対して伸縮する伸縮ステーとからなり、その伸縮ステーの先端に上記手持工具用自在継手を設けていることを特徴とする請求項１記載の手持工具の作業用支承装置。
【請求項３】
上記伸縮ステーが、上記伸縮ロッドの先端にダンパーゴムを介して固定されていることを特徴とする請求項２記載の手持工具の作業用支承装置。
【請求項４】
上記エアシリンダの伸縮ロッドが、伸縮ステーの先端部に設けられた切替弁の操作により伸縮するようにしてなることを特徴とする請求項２または３記載の手持工具の作業用支承装置。
【請求項５】
上記伸縮ステーの先端部の外周面に把持部が設けられていることを特徴とする請求項２，３または４記載の手持工具の作業用支承装置。
【請求項６】
中空筒状の保護パイプを、上記伸縮ステーに固定することによって該伸縮ステーと上記支柱体基部とに外嵌していることを特徴とする請求項２，３，４または５記載の手持工具の作業用支承装置。
【請求項７】
上記手持工具用自在継手に所要の手持工具を取り付けてなることを特徴とする請求項１，２，３，４，５または６記載の手持工具の作業用支承装置。
【発明の詳細な説明】
【技術分野】
【０００１】
本発明は、人力で保持した状態で使用されるエアチッパーや電動ピック等の手持工具を支承する手持工具の作業用支承装置に関する。
【背景技術】
【０００２】
従来、たとえば、橋梁やトンネル等の各種コンクリート構造物の表面に点在する劣化部や脆弱部をはつるとともに、内部の腐食した鉄筋に防錆材を塗布し、モルタルを吹き付けて補修するコンクリート部分断面補修工事に際し、はつり作業は作業員がエアーチッパーや電動ピック等の手持工具を保持しながら行っている（非特許文献１）。
【０００３】
しかし、かかる手持工具を所要の高さとし所要の方向に向けた状態にして保持すること自体、作業員の負担が大きく、特に橋梁の床版下面等をはつる場合などにおいて、手持工具を上に向けて行うはつり作業は重労働となる。
【非特許文献１】西日本旅客鉄道株式会社鉄道本部施設部（土木技術）、「コンクリート構造物補修の手引き」第３版、平成１５年４月、ｐ．23-1，23-2
【発明の開示】
【発明が解決しようとする課題】
【０００４】
そこで本発明は、上記のようなコンクリート部分断面補修工事におけるはつり作業に限らず、手持工具を保持しながら行う作業において、当該手持工具を当該作業に適合する所要の高さに、しかも回動起伏自在に支承することのできる手持工具の作業用支承装置を提供し、これによって、作業員の上記の如き負担を軽減しようとするものである。
【課題を解決するための手段】
【０００５】
請求項１記載の本発明手持工具の作業用支承装置は、所要長さの支柱体１０の先端に手持工具用自在継手１１を設けるとともに、その支柱体１０の基端に支柱体支持用自在継手４を設けてなる。
【０００６】
請求項２記載の本発明は、上記支柱体１０が、支柱体基部１とその支柱体基部１内に嵌挿固定されたエアシリンダ６と、そのエアシリンダ６の伸縮ロッド７の先端に固定され、その伸縮ロッド７の伸縮により上記支柱体基部１に対して伸縮する伸縮ステー８とからなり、その伸縮ステー８の先端に上記手持工具用自在継手１１を設けている請求項１記載の手持工具の作業用支承装置である。
【０００７】
請求項３記載の本発明は、上記伸縮ステー８が、上記伸縮ロッド７の先端にダンパーゴム９を介して固定されている請求項２記載の手持工具の作業用支承装置である。
【０００８】
請求項４記載の本発明は、上記エアシリンダ６の伸縮ロッド７が、伸縮ステー８の先端部に設けられた切替弁１６の操作により伸縮するようにしてなる請求項２または３記載の手持工具の作業用支承装置である。
【０００９】
請求項５記載の本発明は、上記伸縮ステー８の先端部の外周面に把持部８’が設けられている請求項２，３または４記載の手持工具の作業用支承装置である。
【００１０】
請求項６記載の本発明は、中空筒状の保護パイプ１７を、上記伸縮ステー８に固定することによって該伸縮ステー８と上記支柱体基部１とに外嵌している請求項２，３，４または５記載の手持工具の作業用支承装置である。
【００１１】
請求項７記載の本発明は、上記手持工具用自在継手１１に所要の手持工具１３を取り付けてなる請求項１，２，３，４，５または６記載の手持工具の作業用支承装置である。
【発明の効果】
【００１２】
請求項１記載の本発明手持工具の作業用支承装置によれば、所要長さの支柱体の先端に手持工具用自在継手を設けるとともに、その支柱体の基端に支柱体支持用自在継手を設けてなるので、手持工具用自在継手に手持工具を取り付け、支柱体支持用自在継手を接地させることにより、その手持工具を回動起伏自在に支承し作業員の負担を軽減することができる。
【００１３】
請求項２記載の本発明手持工具の作業用支承装置によれば、上記支柱体が、支柱体基部とその支柱体基部内に嵌挿固定されたエアシリンダと、そのエアシリンダの伸縮ロッドの先端に固定され、その伸縮ロッドの伸縮により上記支柱体基部に対して伸縮する伸縮ステーとからなり、その伸縮ステーの先端に上記手持工具用自在継手を設けているので、支柱体を任意の方向に傾動させるとともに伸縮ステーを伸縮させることにより、広範囲で手持工具による作業が行える。
【００１４】
請求項３記載の本発明手持工具の作業用支承装置によれば、上記伸縮ステーが、上記伸縮ロッドの先端にダンパーゴムを介して固定されているので、手持工具の振動等を吸収することができる。
【００１５】
請求項４記載の本発明手持工具の作業用支承装置によれば、上記エアシリンダの伸縮ロッドが、伸縮ステーの先端部に設けられた切替弁の操作により伸縮するようにしてなるので、エアシリンダの操作をしやすい。
【００１６】
請求項５記載の本発明手持工具の作業用支承装置によれば、上記伸縮ステーの先端部の外周面に把持部が設けられているので、この把持部を把持して支柱体を所望の方向に傾動させることにより手持工具を移動させることができる。
【００１７】
請求項６記載の本発明手持工具の作業用支承装置によれば、中空筒状の保護パイプを、上記伸縮ステーに固定することによって該伸縮ステーと上記支柱体基部とに外嵌しているので、伸縮ステーは、保護パイプにより被覆された状態となる。
【００１８】
請求項７記載の本手持工具の作業用支承装置によれば、上記手持工具用自在継手に所要の手持工具を取り付けてなるので、該手持工具は回動起伏自在に支承され、作業員の負担を軽減することができる。
【発明を実施するための最良の形態】
【００１９】
所要長さの支柱体１０の先端に手持工具用自在継手１１を設けるとともに、その支柱体１０の基端に支柱体支持用自在継手４を設けてなる手持工具の作業用支承装置。
【実施例１】
【００２０】
図１に、本発明の実施例１に係る手持工具の作業用支承装置を示す。
１は鋼管製のシリンダステー２と、その上端に固定された同じく鋼管製のガイドステー３からなる支柱体基部である。
４は、上記支柱体基部の基端に設けられた、平板状の台座部５を有するボールジョイント等の支柱体支持用自在継手である。
【００２１】
６は、上記シリンダステー２内に、伸縮ロッド７を上記ガイドステー３内へ伸出させることができるようにして嵌挿固定された軽量合金製のエアシリンダである。
【００２２】
８は上記ガイドステー３内に嵌挿されるとともに、基端を上記エアシリンダ６の伸縮ロッド７の先端に、ダンパーゴム９を介して固定した、鋼管製の伸縮ステーで、この伸縮ステー８は上記支柱体基部１とともに所要長さの支柱体１０をなしているものである。
【００２３】
８’は、該伸縮ステー８の先端部の外周面に設けられた把持部である。
【００２４】
上記伸縮ステー８は、上記エアシリンダ６の伸縮ロッド７の伸縮により、上記支柱体基部１に対して伸縮するもので、伸縮ロッド７を最も縮退させると、先端部のみがガイドステー３から上方に突出した状態となり（図１(a)）、また、伸縮ロッド７を最も伸出させると、該伸縮ステー８の先端側の約半分がガイドステー３から上方に突出した状態となる（図１(b)）。
【００２５】
１１は、上記伸縮ステー８の先端に設けられた取付板１２を有するボールジョイント等の手持工具用自在継手である。
【００２６】
１３は、上記手持工具用自在継手１１の取付板１２に、取付け金具１２’，１２’で取り付けられたコンクリートのはつり作業等に用いるエアチッパー（手持工具）である。このエアチッパー１３は、上記伸縮ステー８に対し、任意の方向へ回動，起伏を自在に行えるようになっている。
【００２７】
１４は上記シリンダステー２の外周面に設けられた三方弁で、図示しないエア供給源からエアホース１５を通じて供給されるエアを分岐して、上記エアシリンダ６と、上記エアチッパー１３とへ供給するものである。
【００２８】
１６は、上記伸縮ステー８の先端部に設けられた二方切替弁で、これはレバー操作により、上記三方弁１４で分岐された上記エアシリンダ６へのエアの供給をコントロールし伸縮ロッド７を伸縮させるものである。
【００２９】
上記構成からなる本実施例の手持工具の作業用支承装置は、手持工具用自在継手１１にエアチッパー１３を取り付けて、支柱体支持用自在継手４の台座部５を適宜の場所に接地させるとともに、一方の手で伸縮ステー８の把持部８’を把持し、他方の手でエアチッパー１３の把持部１３’を把持することにより、エアチッパー１３の荷重を支承させながら所望のはつり作業を行うことができるものである。
【００３０】
その際、把持部８’を把持している上記一方の手で、上記支柱体支持用自在継手４により支持された支柱体１０を所望の方向に傾動させれば、エアチッパー１３を任意の方向に移動することができ、また、把持部８’を把持した一方の手で、該把持部８’を把持したまま上記二方切替弁１６のレバーを操作し、伸縮ロッド７を所望の量だけ伸縮させてエアチッパー１３を上下に移動させることができる。
【００３１】
また、エアチッパー１３の把持部１３’を把持している他方の手で、エアチッパー１３それ自体の向きを適宜変更でき、またそのスイッチの操作を行うことができる。
【００３２】
この手持工具の作業用支承装置は、上記のとおりエアチッパー１３の移動を一方の手で行え、また、エアチッパー１３自体の向きの変更およびスイッチ操作を他方の手で行えるようにしており、また、エアシリンダ６を軽量合金製とし全体として軽量なものとしているので、扱いやすい。
【００３３】
また、エアシリンダ６の伸縮ロッド７と、伸縮ステー８との間にはダンパーゴム９が取り付けられており、これによりエアチッパー１３の振動等を吸収することができる。
【００３４】
この手持工具の作業用支承装置はまた、伸縮ステー８の伸縮を、エアチッパー１３と同じくエアを利用して、エアシリンダ６によって行うようになっているから、支柱体１０に自在継手４，１１や三方弁１４等を取り付け、またエアホースを配管するだけで簡単に、しかも低コストで製作できる。
【実施例２】
【００３５】
図２，３に本発明の実施例２に係る手持工具の作業用支承装置を示す。
この手持工具の作業用支承装置は、上記実施例１の手持工具の作業用支承装置とは、保護パイプ１７を取り付けている点を異にするのみであるから、同一の部分に同一の符号を付すこととし、相違点についてのみ説明する。
【００３６】
上記保護パイプ１７は塩ビ製の中空筒状のもので、伸縮ステー８、およびガイドステー３すなわち支柱体基部１の上半部に外嵌され、上端を伸縮ステー８の先端部の保護パイプ固定用ピン８”に固定している。
【００３７】
この保護パイプ１７は、伸縮ステー８が支柱体基部１に対して伸縮するときに、伸縮ステー８とともに移動し、これにより該伸縮ステー８のガイドステー３から突出した部分は、常に保護パイプ１７により被覆された状態となり（図２，３）、はつり作業により落下してくるはつりかす等によって傷つけられることがないようになっている。
また、伸縮ロッド７を縮退させた状態（図３(a),(b)）ではガイドステー３も被覆された状態となる。
【００３８】
なお、上記では手持工具としてエアチッパーを取り付けた例について説明したが、電動ピック等、他の手持工具を同様にして取り付けることもできる。
【図面の簡単な説明】
【００３９】
【図１】本発明の実施例１に係る手持工具の作業用支承装置の、(a)伸縮ロッドを縮退させた状態、および(b)伸縮ロッドを伸出させた状態の正面図である。
【図２】本発明の実施例２に係る手持工具の作業用支承装置の、伸縮ロッドを伸出させた状態の(a)正面図、および(b)側面図である。
【図３】同上の、伸縮ロッドを縮退させた状態の(a)正面図、および(b)側面図である。
【符号の説明】
【００４０】
１      支柱体基部
２      シリンダステー
３      ガイドステー
４      支柱体支持用自在継手
５      台座部
６      エアシリンダ
７      伸縮ロッド
８      伸縮ステー
８’    把持部
８”    保護パイプ固定用ピン
９      ダンパーゴム
１０    支柱体
１１    手持工具用自在継手
１２    取付板
１２’  取付金具
１３    エアチッパー（手持工具）
１３’  エアチッパーの把持部
１４    三方弁
１５    エアホース
１６    二方切替弁
１７    保護パイプ
【図１】
2006055949.tif 000003
【図２】
2006055949.tif 000004
【図３】
2006055949.tif 000005